(57)【要約】【課題】ユーザの意図しない操作を抑制できる空調システムを提供する。【解決手段】  空調システム（１）は、空気調和機（１０）と、空気調和機（１０）と通信可能な複数の操作端末（２０，３０，４０）とを備える。空気調和機（１０）は、複数の操作端末（２０，３０，４０）からの操作入力の受け付けを制限するロック機能を有している。複数の操作端末（２０，３０，４０）のうちの少なくとも１つの操作端末（２０，３０，４０）は、空気調和機（１０）のロック機能を有効にできる。【選択図】図３
2020153635.tif 000002
【特許請求の範囲】
【請求項１】
空気調和機（１０，１０Ａ，１０Ｂ，１０Ｃ）と、
上記空気調和機（１０，１０Ａ，１０Ｂ，１０Ｃ）と通信可能な複数の操作端末（２０，２０Ａ，２０Ｂ，２０Ｃ，３０，４０）と
を備え、
上記空気調和機（１０，１０Ａ，１０Ｂ，１０Ｃ）は、上記複数の操作端末（２０，２０Ａ，２０Ｂ，２０Ｃ，３０，４０）からの操作入力の受け付けを制限するロック機能を有しており、
上記複数の操作端末（２０，２０Ａ，２０Ｂ，２０Ｃ，３０，４０）のうちの少なくとも１つの操作端末（２０，２０Ａ，２０Ｂ，２０Ｃ，３０，４０）は、上記空気調和機（１０，１０Ａ，１０Ｂ，１０Ｃ）の上記ロック機能を有効にできることを特徴とする、空調システム（１，１００，２００）。
【請求項２】
請求項１に記載の空調システム（１，１００，２００）であって、
上記複数の操作端末（２０，２０Ａ，２０Ｂ，２０Ｃ，３０，４０）のうちの少なくとも１つの操作端末（３０）は、音声入力が可能な音声入力装置（３０）であることを特徴とする空調システム（１，１００，２００）。
【請求項３】
請求項２に記載の空調システム（１，１００，２００）であって、
上記音声入力装置（３０）は、音声入力によって上記ロック機能を有効又は無効にできることを特徴とする空調システム（１，１００，２００）。
【請求項４】
請求項１から３のいずれか１項に記載の空調システム（１，１００，２００）であって、
上記空気調和機（１０，１０Ａ，１０Ｂ，１０Ｃ）の上記ロック機能が有効になった場合、上記空気調和機（１０，１０Ａ，１０Ｂ，１０Ｃ）の現在の運転状態を維持することを特徴とする空調システム（１，１００，２００）。
【請求項５】
請求項１から４のいずれか１項に記載の空調システム（１，１００，２００）であって、
上記空気調和機（１０，１０Ａ，１０Ｂ，１０Ｃ）は、少なくとも冷房運転及び暖房運転を含む運転モードを有するとともに、環境条件に応じて上記運転モードを切り替える自動運転を実行可能なように構成されており、
上記空気調和機（１０，１０Ａ，１０Ｂ，１０Ｃ）は、上記空気調和機（１０，１０Ａ，１０Ｂ，１０Ｃ）が上記自動運転を実行しているときに、上記ロック機能が有効になった場合、上記自動運転を継続することを特徴とする空調システム（１，１００，２００）。
【発明の詳細な説明】
【技術分野】
【０００１】
本開示は、空調システムに関する。
【背景技術】
【０００２】
従来の空気調和機としては、チャイルドロックモードを有するワイヤレスリモートコントローラを備えるものがある（特許文献１参照）。
【先行技術文献】
【特許文献】
【０００３】
【特許文献１】特開平９−６０９５０号公報
【発明の概要】
【発明が解決しようとする課題】
【０００４】
また、近年の空調システムとしては、ワイヤレスリモートコントローラに加えて、スマートフォンやスマートスピーカのような複数の操作端末を備えるものがある。このような空調システムでは、上記従来の空気調和機のように、ユーザがワイヤレスリモートコントローラをチャイルドロックモードに設定した場合であっても、他の操作端末によって空気調和機が操作され、ユーザの意図しない操作がなされるという問題がある。
【０００５】
本開示は、ユーザの意図しない操作を抑制できる空調システムを提案する。
【課題を解決するための手段】
【０００６】
本開示の空調システムは、
空気調和機と、
上記空気調和機と通信可能な複数の操作端末と
を備え、
上記空気調和機は、上記複数の操作端末からの操作入力の受け付けを制限するロック機能を有しており、
上記複数の操作端末のうちの少なくとも１つの操作端末は、上記空気調和機の上記ロック機能を有効にできることを特徴とする。
【０００７】
本開示によれば、複数の操作端末のうちの１つの操作端末によって空気調和機のロック機能が有効にされると、空気調和機において複数の操作端末からの操作入力の受け付けが制限されるので、ユーザの意図しない操作を抑制できる。
【０００８】
一実施形態の空調システムでは、上記複数の操作端末のうちの少なくとも１つの操作端末は、音声入力が可能な音声入力装置である。
【０００９】
音声入力装置は、小さな子どもでも音声入力によって容易に操作され得る。上記実施形態によれば、空気調和機のロック機能が有効にされると、空気調和機において音声入力装置からの操作入力の受け付けが制限されるので、ユーザの意図しない操作を効果的に抑制できる。
【００１０】
一実施形態の空調システムでは、上記音声入力装置は、音声入力によって上記ロック機能を有効又は無効にできる。
【００１１】
上記実施形態によれば、音声入力によってロック機能を有効又は無効にできるので、空気調和機のロック機能を有効又は無効するために手動操作が必要な場合と比較して、ユーザビリティを向上できる。
【００１２】
一実施形態の空調システムは、上記空気調和機の上記ロック機能が有効になった場合、上記空気調和機の現在の運転状態を維持する。
【００１３】
上記実施形態によれば、空気調和機のロック機能が有効になった場合であっても、空気調和機の現在の運転状態が維持されるため、空気調和機がユーザの意図しない運転状態で運転されることが抑制されるので、ユーザの快適性の低下を抑制できる。
【００１４】
一実施形態の空調システムでは、
上記空気調和機は、少なくとも冷房運転及び暖房運転を含む運転モードを有するとともに、環境条件に応じて上記運転モードを切り替える自動運転を実行可能なように構成されており、
上記空気調和機は、上記空気調和機が上記自動運転を実行しているときに、上記ロック機能が有効になった場合、上記自動運転を継続する。
【００１５】
上記実施形態によれば、空気調和機のロック機能が有効になった場合であっても、環境条件に応じて運転モードを切り替える自動運転が継続されるので、ユーザの快適性の低下を抑制できる。
【図面の簡単な説明】
【００１６】
【図１】本開示の第１実施形態に係る空調システムの概念図である。
【図２】第１実施形態に係る空調システムのブロック図である。
【図３】第１実施形態において、空気調和機のロック機能が有効である場合の、操作端末からの操作入力の経路を説明するための概念図である。
【図４】第２実施形態に係る空調システムのブロック図である。
【図５】第２実施形態において、空気調和機のロック機能が有効である場合の、操作端末からの操作入力の経路を説明するための概念図である。
【図６】第３実施形態において、空気調和機のロック機能が有効である場合の、操作端末からの操作入力の経路を説明するための概念図である。
【図７】第３実施形態の変形例において、第１部屋に設置された空気調和機のロック機能が有効である場合の、操作端末からの操作入力の経路を説明するための概念図である。
【図８】第３実施形態の変形例において、空気調和機のロック機能が有効である場合の、操作端末からの操作入力の経路を説明するための概念図である。
【発明を実施するための形態】
【００１７】
以下、添付図面を参照して、本開示の実施形態に係る空調システムを説明する。
【００１８】
［第１実施形態］
図１は、本開示の第１実施形態に係る空調システム１の概念図である。
【００１９】
図１を参照すると、本実施形態に係る空調システム１は、空気調和機１０と、リモートコントローラ２０と、スマートスピーカ３０と、スマートフォン４０と、無線ＬＡＮルータ５０と、クラウドサーバ６０とを備える。リモートコントローラ２０と、スマートスピーカ３０と、スマートフォン４０とは、本開示に係る操作端末の一例である。
【００２０】
空気調和機１０と、スマートスピーカ３０と、スマートフォン４０とのそれぞれは、無線ＬＡＮルータ５０に対して無線通信できる。言い換えれば、無線ＬＡＮルータ５０は、空気調和機１０、スマートスピーカ３０、及びスマートフォン４０のそれぞれと無線接続できるアクセスポイント機能とを備える。また、無線ＬＡＮルータ５０は、空気調和機１０と、スマートスピーカ３０と、スマートフォン４０とのそれぞれのインターネット回線ＩＮに対する通信を中継するルータ機能を備える。これによって、空気調和機１０と、スマートスピーカ３０と、スマートフォン４０とは、無線ＬＡＮルータ５０を介して、インターネット回線ＩＮに対して接続できる。また、クラウドサーバ６０は、インターネット回線ＩＮに対して接続できる。空気調和機１０と無線ＬＡＮルータ５０との間の無線通信回線と、スマートスピーカ３０と無線ＬＡＮルータ５０との間の無線通信回線と、スマートフォン４０と無線ＬＡＮルータ５０との間の無線通信回線とは、本開示に係る空調システム１の通信回線の一部を構成する。また。無線ＬＡＮルータ５０とクラウドサーバ６０との間のインターネット回線ＩＮを介した無線通信回線と、スマートフォン４０と無線ＬＡＮルータ５０との間のインターネット回線ＩＮを介した無線通信回線とは、本開示に係る空調システム１の通信回線の一部を構成する。
【００２１】
空気調和機１０は、室内に設置される室内機１１と室外に設置される室外機（図示せず）を有する。本実施形態の空気調和機１０は、冷房運転と暖房運転とを含む運転モードを有している。空気調和機１０は、室内の環境条件に応じて上記運転モードを切り替える自動運転を実行可能なように構成されている。例えば、室内が高温・高湿になったときに、空気調和機１０は、冷房運転を自動的に開始する。空気調和機１０の上記運転モードは、除湿運転を含んでいてもよい。
【００２２】
リモートコントローラ２０は、赤外線通信によって空気調和機１０と双方向に通信できる。ユーザは、リモートコントローラ２０を用いて、空気調和機１０を遠隔操作できる。リモートコントローラ２０は、送信のみ可能なリモートコントローラであってもよい。
【００２３】
スマートスピーカ３０は、音声入力及び音声出力ができる。言い換えれば、スマートスピーカ３０は、音声を音声データに変換できるとともに、音声データを変換して音声を出力できる。また、スマートスピーカ３０は、通信回線に接続可能である。ユーザ２は、スマートスピーカ３０を用いて空気調和機１０を音声操作できる。スマートスピーカ３０を用いた空気調和機１０の音声操作については後述する。スマートスピーカ３０は、本開示に係る音声入力装置の一例である。
【００２４】
スマートフォン４０は、スマートフォン４０による空気調和機１０の操作を可能にするアプリケーション（図示せず）を有している。スマートフォン４０は、通信回線に接続可能である。スマートフォン４０は、無線ＬＡＮルータ５０を介すことなく、インターネット回線ＩＮを介して、クラウドサーバ６０と通信できる。スマートフォン４０は、クラウドサーバ６０及び無線ＬＡＮルータ５０を介して、又は無線ＬＡＮルータ５０を介して空気調和機１０と通信できる。ユーザは、スマートフォン４０を用いて空気調和機１０を遠隔操作できる。
【００２５】
スマートフォン４０は、赤外線通信によって空気調和機１０と通信できてもよい。この場合、スマートフォン４０は、無線ＬＡＮルータ５０を介することなく、空気調和機１０を操作できる。
【００２６】
図２は、本実施形態の空調システム１のブロック図である。図２において、無線ＬＡＮルータ５０（図１に示す）の図示を省略している。
【００２７】
図２を参照すると、クラウドサーバ６０は、音声データとテキストデータとの間の変換処理を行う処理装置６１と、空気調和機１０の室内機１１と通信可能なサーバ制御装置６２とを備える。サーバ制御装置６２は、スマートフォン４０のような通信機器及び空気調和機１０の室内機１１と通信できるサーバ通信部６２ａを備える。
【００２８】
空気調和機１０の室内機１１は、サーバ制御装置６２と無線ＬＡＮルータ５０（図１に示す）を介して通信できる室内機制御装置１２を備える。
【００２９】
室内機制御装置１２は、リモートコントローラ２０やスマートフォン４０のような通信機器及びクラウドサーバ６０と通信するための室内機通信部１２ａと、室内機記憶部１２ｂとを備える。
【００３０】
室内機通信部１２ａは、無線ＬＡＮルータ５０（図１に示す）と通信するための無線ＬＡＮアダプタ（図示せず）と、リモートコントローラ２０からの操作入力を受信する受光部（図示せず）とを有する。空気調和機１０の室内機１１は、上記無線ＬＡＮアダプタを介してスマートフォン４０のような通信機器及びクラウドサーバ６０のサーバ通信部６２ａと通信できる。これにより、空気調和機１０の室内機１１は、上記無線ＬＡＮアダプタが受信したスマートフォン４０からの操作入力によって操作される。また、空気調和機１０は、上記受光部が受信したリモートコントローラ２０からの操作入力によって操作される。
【００３１】
（音声操作）
ユーザ２が発話すると、スマートスピーカ３０は、ユーザ２の発した音声を音声データに変換して、クラウドサーバ６０に送信する。クラウドサーバ６０の処理装置６１は、スマートスピーカ３０から受信した音声データを処理してテキストデータに変換（音声認識）し、テキストデータを形態素に分割して、自然言語を理解（言語理解）する。その後、処理装置６１は、テキストデータの形態素の情報から、文法規則に基づいてテキストデータの構造を解析（構文解析）し、ユーザの意図を理解（意図理解）する。処理装置６１は、ユーザの意図を操作指示としてサーバ制御装置６２に出力する。
【００３２】
サーバ制御装置６２は、処理装置６１から出力された操作指示に基づいて空気調和機１０を操作するための操作信号を生成して、サーバ通信部６２ａから空気調和機１０の室内機通信部１２ａに操作信号を送信する。
【００３３】
空気調和機１０の室内機１１の室内機制御装置１２は、室内機通信部１２ａがサーバ通信部６２ａから受け取った操作信号に従って空気調和機１０を制御する。
【００３４】
一方で、空気調和機１０の室内機１１の室内機制御装置１２は、運転モードや設定温度のような空気調和機１０の室内機１１の状態に関する情報をサーバ制御装置６２に送信する。
【００３５】
サーバ制御装置６２は、サーバ通信部６２ａが空気調和機１０の室内機１１の現在の状態を空気調和機１０から受信すると、ユーザ２に対する応答指示を処理装置６１に出力する。
【００３６】
処理装置６１は、サーバ制御装置６２からの応答指示を受けると、応答指示に基づいて応答文言を生成（文言生成）し、生成された文言の音声データを合成（音声合成）して、スマートスピーカ３０に出力する。スマートスピーカ３０は、合成された音声データを変換して音声を出力する。これにより、ユーザ２は、空気調和機１０の現在の状態を知ることができる。
【００３７】
（ロック機能）
空気調和機１０の室内機１１は、リモートコントローラ２０と、スマートスピーカ３０と、スマートフォン４０とを含む操作端末からの操作入力を制限するロック機能を有する。本実施形態では、室内機制御装置１２の室内機記憶部１２ｂは、リモートコントローラ２０と、スマートスピーカ３０と、スマートフォン４０とを含む操作端末からの所定の操作入力を制限するか否かを示すロックフラグを記憶する。室内機制御装置１２は、室内機記憶部１２ｂに記憶されたロックフラグに基づいて、操作端末からの所定の操作入力を制限するか否かを判断する。
【００３８】
本実施形態のロックフラグは、オンとオフの２値項目として設定される。ロックフラグがオンのとき、空気調和機１０の室内機１１は、リモートコントローラ２０と、スマートスピーカ３０と、スマートフォン４０とを含む操作端末からの所定の操作入力を制限する。ロックフラグがオフのとき、空気調和機１０の室内機１１は、リモートコントローラ２０と、スマートフォン４０と、スマートスピーカ３０とを含む操作端末からの操作入力を受け付ける。ロックフラグは、空気調和機１０のユーザの操作による運転開始時には、オフになっている。
【００３９】
本実施形態において、空気調和機１０の室内機１１のロック機能が有効であるときに制限される所定の操作入力とは、ロック機能を無効にする操作入力を除く操作入力のことをいう。具体的には、空気調和機１０の室内機１１のロック機能が有効であるときに制限される所定の操作入力は、空気調和機１０のオン／オフと、運転モード切り替えと、設定温度、風量、及び風向の変更となどを含む。
【００４０】
本実施形態では、空気調和機１０の運転中に、空気調和機１０の室内機１１のロック機能が有効になった場合であっても、空気調和機１０の現在の運転状態を維持する。例えば、空気調和機１０が暖房運転中に、空気調和機１０の室内機１１のロック機能が有効になった場合、空気調和機１０は、暖房運転を継続して実行する。このとき、本実施形態の空気調和機１０は、運転モードに限らず、設定温度、風量、又は風向などの設定を維持して運転する。
【００４１】
また、本実施形態では、空気調和機１０が自動運転を実行しているときに、空気調和機１０の室内機１１のロック機能が有効になった場合、空気調和機１０は、室内の環境条件に応じて暖房運転及び冷房運転を含む運転モードを切り替える自動運転を継続する。また、空気調和機１０が停止しており、空気調和機１０の室内機１１のロック機能が有効であるときに、室内の環境条件が、高温・高湿になったとき、空気調和機１０は、冷房運転を開始してもよい。すなわち、空気調和機１０の室内機１１のロック機能が有効である場合であっても、空気調和機１０の自動制御は実行される。
【００４２】
本実施形態のリモートコントローラ２０と、スマートスピーカ３０と、スマートフォン４０とは、空気調和機１０の室内機１１のロック機能を有効又は無効にできる。言い換えれば、リモートコントローラ２０と、スマートスピーカ３０と、スマートフォン４０とは、空気調和機１０の室内機１１のロックフラグをオン又はオフにできる。
【００４３】
本実施形態のスマートスピーカ３０は、音声入力によって、空気調和機１０の室内機１１のロック機能を有効又は無効にできる。例えば、ユーザ２は、スマートスピーカ３０に向かって「リビングのエアコンをロックして」と発話することで、リビングに設置された空気調和機１０の室内機１１のロック機能を有効にできる。例えば、ユーザ２は、スマートスピーカ３０に向かって「リビングのエアコンを解除して」と発話することで、リビングに設置された空気調和機１０の室内機１１のロック機能を無効にできる。
【００４４】
スマートスピーカ３０は、小さい子どもによって容易に操作され得る。このため、ユーザ２が空気調和機１０の室内機１１のロック機能を有効又は無効にしようとする際に、スマートスピーカ３０は、ユーザ２に暗証番号の音声入力を求めてもよい。
【００４５】
図３は、本実施形態のリモートコントローラ２０、スマートスピーカ３０、及びスマートフォン４０のそれぞれからの操作入力の経路を説明するための概念図である。
【００４６】
図３を参照すると、ユーザがリモートコントローラ２０に入力した操作入力（図３中の符号Ａ）は、赤外線通信によって、空気調和機１０の室内機１１に操作信号として送信される。
【００４７】
空気調和機１０の室内機１１は、ロック機能が有効である場合、図３に示すように、リモートコントローラ２０からの操作入力を制限する。言い換えれば、ユーザによるリモートコントローラ２０を用いた所定の操作入力は、空気調和機１０の室内機１１において、無効にされる。
【００４８】
ユーザ２からスマートスピーカ３０に入力された操作入力（図３中の符号Ｂ）は、スマートスピーカ３０によって音声データに変換されて、無線ＬＡＮルータ５０を介してクラウドサーバ６０に送信される。クラウドサーバ６０が受信した音声データは、クラウドサーバ６０の処理装置６１（図２に示す）によって操作指示に変換された後に、サーバ制御装置６２（図２に示す）によって操作信号に変換されて出力される。サーバ制御装置６２から出力された操作信号は、無線ＬＡＮルータ５０を介して空気調和機１０の室内機１１に送信される。
【００４９】
空気調和機１０の室内機１１は、ロック機能が有効である場合、図３に示すように、スマートスピーカ３０からの操作入力を制限する。言い換えれば、ユーザ２からのスマートスピーカ３０を用いた所定の操作入力は、空気調和機１０の室内機１１において、無効にされる。
【００５０】
スマートフォン４０が無線ＬＡＮルータ５０と直接通信できない場合（例えば、スマートフォン４０が屋外にある場合）、ユーザがスマートフォン４０に入力した操作入力（図３中の符号Ｃ）は、インターネット回線ＩＮ（図１に示す）を介して、クラウドサーバ６０に操作信号として送信される。クラウドサーバ６０が受信した操作信号は、無線ＬＡＮルータ５０を介して、空気調和機１０の室内機１１に送信される。
【００５１】
空気調和機１０の室内機１１は、ロック機能が有効である場合、図３に示すように、スマートフォン４０からの操作入力を制限する。言い換えれば、ユーザからのスマートフォン４０を用いた所定の操作入力は、空気調和機１０の室内機１１において、無効にされる。
【００５２】
スマートフォン４０が無線ＬＡＮルータ５０と直接通信できる場合（例えば、スマートフォン４０が屋内にある場合）、ユーザがスマートフォン４０に入力した操作入力（図３中の符号Ｄ）は、無線ＬＡＮルータ５０を介して、空気調和機１０の室内機１１に送信される。
【００５３】
空気調和機１０の室内機１１は、ロック機能が有効である場合、図３に示すように、スマートフォン４０からの操作入力を制限する。言い換えれば、ユーザ２からのスマートフォン４０を用いた所定の操作入力は、空気調和機１０の室内機１１において、無効にされる。
【００５４】
この構成によれば、複数の操作端末のうちの１つの操作端末によって空気調和機１０の室内機１１のロック機能が有効にされると、空気調和機１０において複数の操作端末からの操作入力の受け付けが制限されるので、ユーザの意図しない操作を抑制できる。
【００５５】
スマートスピーカ３０は、小さな子どもでも音声入力によって容易に操作され得る。上記実施形態によると、空気調和機１０の室内機１１のロック機能が有効にされると、空気調和機１０においてスマートスピーカ３０からの操作入力の受け付けが制限されるので、ユーザの意図しない操作を効果的に抑制できる。
【００５６】
上記実施形態によれば、スマートスピーカ３０を用いた音声入力によってロック機能を有効又は無効にできるので、空気調和機１０の室内機１１のロック機能を有効又は無効するために手動操作が必要な場合と比較して、ユーザビリティを向上できる。
【００５７】
上記実施形態によれば、空気調和機１０の室内機１１のロック機能が有効になった場合であっても、空気調和機１０の現在の運転状態が維持されるため、空気調和機１０がユーザの意図しない運転状態で運転されることが抑制されるので、ユーザの快適性の低下を抑制できる。
【００５８】
上記実施形態によれば、空気調和機１０の室内機１１のロック機能が有効になった場合であっても、室内の環境条件に応じて暖房運転及び冷房運転を含む運転モードを切り替える自動運転が継続されるので、ユーザの快適性の低下を抑制できる。
【００５９】
（第２実施形態）
第２実施形態の空調システム１００は、クラウドサーバの構造を除いて、第１実施形態の空調システム１と同様の構成を有している。具体的には、第２実施形態に係るクラウドサーバ１６０は、サーバ記憶部１６２ｂを有している点を除いて、第１実施形態に係るクラウドサーバ６０と同様の構成を有している。第２実施形態において、第１実施形態と同様の構成要素については、同一の参照符号を付して示し、その詳細な説明を省略する。
【００６０】
図４は、本実施形態に係る空調システム１００のブロック図である。図４において、無線ＬＡＮルータ５０（図１に示す）の図示を省略している。
【００６１】
図４を参照すると、本実施形態のクラウドサーバ１６０は、音声データとテキストデータとの間の変換処理を行う処理装置１６１と、空気調和機１０の室内機１１と通信可能なサーバ制御装置１６２とを備える。サーバ制御装置１６２は、スマートフォン４０のような通信機器及び空気調和機１０の室内機１１と通信できるサーバ通信部１６２ａと、サーバ記憶部１６２ｂとを備える。処理装置１６１の構成は、第１実施形態に係る処理装置６１（図２に示す）の構成と同様であり、その詳細な説明を省略する。
【００６２】
サーバ記憶部１６２ｂは、クラウドサーバ１６０が受信した操作入力を空気調和機１０に送信するか否かを示すサーバロックフラグを記憶する。サーバ制御装置１６２は、サーバ記憶部１６２ｂに記憶されたサーバロックフラグに基づいて、クラウドサーバ１６０が受信した操作端末からの操作入力を空気調和機１０の室内機１１に送信するか否かを判断する。
【００６３】
サーバロックフラグは、室内機記憶部１２ｂに記憶されたロックフラグと同様に、オンとオフの２値項目として設定される。サーバロックフラグがオンのとき、サーバ制御装置１６２は、クラウドサーバ１６０が受信した操作端末からの所定の操作入力を空気調和機１０の室内機１１に送信しない。言い換えれば、操作端末からクラウドサーバ１６０に送信された所定の操作入力は、クラウドサーバ１６０において制限される。サーバロックフラグがオフのとき、サーバ制御装置１６２は、クラウドサーバ１６０が受信した操作端末からの所定の操作入力を空気調和機１０の室内機１１に送信する。サーバロックフラグは、ユーザの操作による空気調和機１０の運転開始時には、オフになっている。
【００６４】
サーバ記憶部１６２ｂに記憶されたサーバロックフラグは、室内機記憶部１２ｂに記憶されたロックフラグと同期されている。言い換えれば、サーバ記憶部１６２ｂに記憶されたサーバロックフラグは、室内機記憶部１２ｂに記憶されたロックフラグと同じ値をもつ。具体的には、サーバロックフラグは、ロックフラグがオンのとき、オンである。サーバロックフラグは、ロックフラグがオフのとき、オフである。言い換えれば、空気調和機１０の室内機１１のロック機能が有効である場合、クラウドサーバ１６０においても、操作端末からの操作入力が制限される。
【００６５】
図５は、本実施形態のリモートコントローラ２０、スマートスピーカ３０、及びスマートフォン４０のそれぞれからの操作入力の経路を説明するための概念図である。
【００６６】
図５を参照すると、ユーザがリモートコントローラ２０に入力した操作入力（図５中の符号Ａ）は、赤外線通信によって、空気調和機１０の室内機１１に操作信号として送信される。
【００６７】
空気調和機１０の室内機１１は、空気調和機１０の室内機１１のロック機能が有効である場合、図５に示すように、リモートコントローラ２０からの操作入力を制限する。言い換えれば、ユーザによるリモートコントローラ２０を用いた所定の操作入力は、空気調和機１０の室内機１１において、無効にされる。
【００６８】
ユーザ２からスマートスピーカ３０に入力された操作入力（図５中の符号Ｂ）は、スマートスピーカ３０によって音声データに変換されて、無線ＬＡＮルータ５０を介してクラウドサーバ１６０に送信される。
【００６９】
クラウドサーバ１６０は、空気調和機１０の室内機１１のロック機能が有効である場合、図５に示すように、スマートスピーカ３０からの操作入力を制限する。言い換えれば、ユーザ２からのスマートスピーカ３０を用いた所定の操作入力は、クラウドサーバ１６０において、無効にされる。
【００７０】
スマートフォン４０が無線ＬＡＮルータ５０と直接通信できない場合（例えば、スマートフォン４０が屋外にある場合）、ユーザがスマートフォン４０に入力した操作入力（図５中の符号Ｃ）は、インターネット回線ＩＮ（図１に示す）を介して、クラウドサーバ１６０に操作信号として送信される。
【００７１】
クラウドサーバ１６０は、空気調和機１０の室内機１１のロック機能が有効である場合、図５に示すように、スマートフォン４０からの操作入力を制限する。言い換えれば、ユーザからのスマートフォン４０を用いた所定の操作入力は、クラウドサーバ１６０において、無効にされる。
【００７２】
スマートフォン４０が無線ＬＡＮルータ５０と直接通信できる場合（例えば、スマートフォン４０が屋内にある場合）、ユーザがスマートフォン４０に入力した操作入力（図５中の符号Ｄ）は、無線ＬＡＮルータ５０を介して、空気調和機１０の室内機１１に送信される。
【００７３】
空気調和機１０の室内機１１は、空気調和機１０の室内機１１のロック機能が有効である場合、図５に示すように、スマートフォン４０からの操作入力を制限する。言い換えれば、ユーザからのスマートフォン４０を用いた所定の操作入力は、空気調和機１０の室内機１１において、無効にされる。
【００７４】
リモートコントローラ２０は、空気調和機１０の室内機１１のロック機能を無効にできる。具体的には、リモートコントローラ２０から空気調和機１０の室内機１１のロック機能を無効にする操作信号（図５中の符号Ａ）が空気調和機１０に送信されると、空気調和機１０の室内機記憶部１２ｂに記憶されているロックラグはオフになる。これにより、空気調和機１０の室内機１１のロック機能は無効になる。また、クラウドサーバ１６０のサーバ記憶部１６２ｂに記憶されているサーバロックフラグは、室内機記憶部１２ｂに記憶されているロックフラグと同期されているので、サーバロックフラグは、ロックラグがオフになると、オフになる。
【００７５】
スマートスピーカ３０は、空気調和機１０の室内機１１のロック機能を無効にできる。具体的には、スマートスピーカ３０から空気調和機１０の室内機１１のロック機能を無効にする操作信号（図５中の符号Ｂ）がクラウドサーバ１６０に送信されると、クラウドサーバ１６０のサーバ記憶部１６２ｂに記憶されているサーバロックフラグはオフになる。室内機記憶部１２ｂに記憶されているロックフラグは、クラウドサーバ１６０のサーバ記憶部１６２ｂに記憶されているサーバロックフラグと同期されているので、ロックフラグは、サーバロックラグがオフになると、オフになる。これにより、空気調和機１０の室内機１１のロック機能は無効になる。
【００７６】
スマートフォン４０は、インターネット回線ＩＮ（図１に示す）を介して、空気調和機１０の室内機１１のロック機能を無効にできる。具体的には、スマートフォン４０から空気調和機１０の室内機１１のロック機能を無効にする操作信号（図５中の符号Ｃ）がクラウドサーバ１６０に送信されると、クラウドサーバ１６０のサーバ記憶部１６２ｂに記憶されているサーバロックフラグはオフになる。室内機記憶部１２ｂに記憶されているロックフラグは、クラウドサーバ１６０のサーバ記憶部１６２ｂに記憶されているサーバロックフラグと同期されているので、ロックフラグは、サーバロックラグがオフになると、オフになる。これにより、空気調和機１０の室内機１１のロック機能は、無効になる。
【００７７】
スマートフォン４０は、無線ＬＡＮルータ５０を介して、空気調和機１０の室内機１１のロック機能を無効にできる。具体的には、スマートフォン４０から空気調和機１０の室内機１１のロック機能を無効にする操作信号（図５中の符号Ｄ）が空気調和機１０に送信されると、空気調和機１０の室内機記憶部１２ｂに記憶されているロックラグはオフになる。これにより、空気調和機１０の室内機１１のロック機能は無効になる。また、クラウドサーバ１６０のサーバ記憶部１６２ｂに記憶されているサーバロックフラグは、室内機記憶部１２ｂに記憶されているロックフラグと同期されているので、サーバロックフラグは、ロックラグがオフになると、オフになる。
【００７８】
第２実施形態では、第１実施形態と同様の作用効果を奏する。
【００７９】
上記実施形態によれば、クラウドサーバ１６０のサーバ記憶部１６２ｂに記憶されているサーバロックフラグは、室内機記憶部１２ｂに記憶されているロックフラグと同期されているので、クラウドサーバ１６０において、一部の操作端末の操作入力を制限できる。言い換えれば、クラウドサーバ１６０において、クラウドサーバ１６０を経由する操作入力を制限できる。これにより、クラウドサーバ１６０から空気調和機１０へと操作入力を送信する必要がないため、操作端末からの全ての操作入力を空気調和機１０において制限する場合と比較して、クラウドサーバ１６０と空気調和機１０との通信量を低減できる。
【００８０】
（第３実施形態）
第３実施形態の空調システム２００は、複数の空気調和機１０Ａ、１０Ｂ，１０Ｃを有する点を除いて、第１実施形態の空調システム１と同様の構成を有している。第３実施形態において、第１実施形態と同様の構成要素については、同一の参照符号を付して示し、その詳細な説明を省略する。第３実施形態では、簡単のため、スマートフォン４０（図１に示す）を省略するが、第３実施形態の空調システム２００は、スマートフォン４０を操作端末として備えていてもよい。
【００８１】
図６は、第３実施形態のリモートコントローラ２０、及びスマートスピーカ３０のそれぞれからの操作入力の経路を説明するための概念図である。
【００８２】
図６を参照すると、本実施形態の空調システム２００は、３台の空気調和機１０Ａ、１０Ｂ，１０Ｃを備える。空気調和機１０Ａ，１０Ｂ，１０Ｃは、第１実施形態に係る空気調和機１０（図１に示す）と同様の構成をそれぞれ有しており、その詳細な説明は省略する。空気調和機１０Ａの室内機１１Ａは、第１部屋ＢＲ（本実施形態では寝室）に設置され、空気調和機１０Ｂ，１０Ｃの室内機１１Ｂ，１１Ｃは、第２部屋ＬＲ（本実施形態ではリビング）に設置されている。
【００８３】
本実施形態では、室内機１１Ｂの室内機記憶部１２ｂに記憶されているロックフラグと、室内機１１Ｃの室内機記憶部１２ｂに記憶されているロックフラグとは、同期されている。言い換えれば、室内機１１Ｂのロック機能の設定と、室内機１１Ｃのロック機能の設定とは、同期されている。
【００８４】
本実施形態では、室内機１１Ａ，１１Ｂ，１１Ｃが設けられた部屋毎に、室内機１１Ａ，１１Ｂ，１１Ｃのロック機能を有効又は無効にできる。具体的には、ユーザは、第１部屋ＢＲと第２部屋ＬＲとに対してロック機能を有効又は無効にするかを個別に選択できる。
【００８５】
ユーザがリモートコントローラ２０Ｂを操作して、室内機１１Ｂの室内機記憶部１２ｂに記憶されているロックフラグをオンにすると、室内機１１Ｂ，１１Ｃのロック機能が共に有効になる。同様に、ユーザがリモートコントローラ２０Ｃを操作して、室内機１１Ｃの室内機記憶部１２ｂに記憶されているロックフラグをオンにすると、室内機１１Ｂ，１１Ｃのロック機能が共に有効になる。
【００８６】
また、例えば、ユーザ２は、スマートスピーカ３０に向かって「リビングのエアコンをロックして」と発話することで、リビングに設置された空気調和機１０Ｂ，１０Ｃの室内機１１Ｂ，１１Ｃのロック機能を有効にできる。例えば、ユーザ２は、スマートスピーカ３０に向かって「リビングのエアコンを解除して」と発話することで、リビングに設置された空気調和機１０Ｂ，１０Ｃの室内機１１Ｂ，１１Ｃのロック機能を無効にできる。
【００８７】
第３実施形態では、第１実施形態と同様の作用効果を奏する。
【００８８】
第３実施形態では、空気調和機１０Ａ，１０Ｂ，１０Ｃのそれぞれが室外機を有していたが、空気調和機１０Ａ，１０Ｂ，１０Ｃは１台又は２台の室外機を共有してもよい。言い換えれば、室内機１１Ａ，１１Ｂ，１１Ｃは、所謂マルチエアコンの室内機であってもよい。
【００８９】
（変形例）
図７は、第３実施形態の変形例において、第１部屋ＢＲに設置された空気調和機１０Ａの室内機１１Ａのロック機能が有効である場合の、操作端末からの操作入力の経路を説明するための概念図である。図８は、第３実施形態の変形例において、第２部屋ＬＲに設置された空気調和機１０Ｂ，１０Ｃの室内機１１Ｂ，１１Ｃのロック機能が有効である場合の、操作端末からの操作入力の経路を説明するための概念図である。
【００９０】
図７を参照すると、本変形例の空調システム２００のクラウドサーバ２６０は、サーバ記憶部２６２ｂを有している。
【００９１】
本変形例のサーバ記憶部２６２ｂは、クラウドサーバ２６０が受信した操作入力を空気調和機１０Ａに送信するか否かを示す第１サーバロックフラグを記憶する。サーバ制御装置（図示せず）は、サーバ記憶部２６２ｂに記憶された第１サーバロックフラグに基づいて、クラウドサーバ２６０が受信した操作端末からの操作入力を空気調和機１０Ａに送信するか否かを判断する。
【００９２】
第１サーバロックフラグは、オンとオフの２値項目として設定される。第１サーバロックフラグがオンのとき、サーバ制御装置（図示せず）は、クラウドサーバ２６０が受信した操作端末からの空気調和機１０Ａへの所定の操作入力を空気調和機１０Ａに送信しない。言い換えれば、操作端末からクラウドサーバ２６０に送信された空気調和機１０Ａへの所定の操作入力は、クラウドサーバ２６０において制限される。第１サーバロックフラグがオフのとき、サーバ制御装置（図示せず）は、クラウドサーバ２６０が受信した操作端末からの空気調和機１０Ａへの所定の操作入力を空気調和機１０Ａに送信する。第１サーバロックフラグは、ユーザの操作による空気調和機１０Ａの運転開始時には、オフになっている。
【００９３】
サーバ記憶部２６２ｂに記憶された第１サーバロックフラグは、室内機１１Ａの室内機記憶部１２ｂに記憶されたロックフラグと同期されている。言い換えれば、サーバ記憶部２６２ｂに記憶された第１サーバロックフラグは、室内機１１Ａの室内機記憶部１２ｂに記憶されたロックフラグと同じ値をもつ。具体的には、第１サーバロックフラグは、室内機１１Ａの室内機記憶部１２ｂに記憶されたロックフラグがオンのとき、オンである。第１サーバロックフラグは、室内機１１Ａの室内機記憶部１２ｂに記憶されたロックフラグがオフのとき、オフである。言い換えれば、空気調和機１０Ａの室内機１１Ａのロック機能が有効である場合、クラウドサーバ２６０においても、操作端末からの空気調和機１０Ａへの操作入力が制限される。
【００９４】
図８を参照すると、本変形例のサーバ記憶部２６２ｂは、クラウドサーバ２６０が受信した操作入力を空気調和機１０Ｂ，１０Ｃに送信するか否かを示す第２サーバロックフラグを記憶する。サーバ制御装置（図示せず）は、サーバ記憶部２６２ｂに記憶された第２サーバロックフラグに基づいて、クラウドサーバ２６０が受信した操作端末からの操作入力を空気調和機１０Ｂ，１０Ｃに送信するか否かを判断する。
【００９５】
第２サーバロックフラグは、オンとオフの２値項目として設定される。第２サーバロックフラグがオンのとき、サーバ制御装置（図示せず）は、クラウドサーバ２６０が受信した操作端末からの空気調和機１０Ｂ，１０Ｃへの所定の操作入力を空気調和機１０Ｂ，１０Ｃに送信しない。言い換えれば、操作端末からクラウドサーバ２６０に送信された空気調和機１０Ｂ，１０Ｃへの所定の操作入力は、クラウドサーバ２６０において制限される。第２サーバロックフラグがオフのとき、サーバ制御装置（図示せず）は、クラウドサーバ２６０が受信した操作端末からの空気調和機１０Ｂ，１０Ｃへの所定の操作入力を空気調和機１０Ｂ，１０Ｃに送信する。第２サーバロックフラグは、ユーザの操作による空気調和機１０Ｂ，１０Ｃの運転開始時には、オフになっている。
【００９６】
サーバ記憶部２６２ｂに記憶された第２サーバロックフラグは、室内機１１Ｂ，１１Ｃの室内機記憶部１２ｂに記憶されたロックフラグと同期されている。言い換えれば、サーバ記憶部２６２ｂに記憶された第２サーバロックフラグは、室内機１１Ｂ，１１Ｃの室内機記憶部１２ｂに記憶されたロックフラグと同じ値をもつ。具体的には、第２サーバロックフラグは、室内機１１Ｂ，１１Ｃの室内機記憶部１２ｂに記憶されたロックフラグがオンのとき、オンである。第２サーバロックフラグは、室内機１１Ｂ，１１Ｃの室内機記憶部１２ｂに記憶されたロックフラグがオフのとき、オフである。言い換えれば、空気調和機１０Ｂ，１０Ｃの室内機１１Ｂ，１１Ｃのロック機能が有効である場合、クラウドサーバ２６０においても、操作端末からの空気調和機１０Ｂ，１０Ｃへの操作入力が制限される。
【００９７】
以上、実施形態を説明したが、特許請求の趣旨及び範囲から逸脱することなく、形態や詳細の多様な変更が可能なことが理解されるであろう。
【００９８】
例えば、上記第１〜第３実施形態では、複数の操作端末の全てが、空気調和機のロック機能を有効にできたが、これに限定されず、複数の操作端末の少なくとも１つが空気調和機の室内機のロック機能を有効にできればよい。
【００９９】
また、上記第１〜第３実施形態では、本開示に係る操作端末の一例として、リモートコントローラ２０、スマートスピーカ３０、及びスマートフォン４０を挙げたが、操作端末はこれに限定されない。本開示に係る操作端末は、例えば、タブレットパソコンや、ノートパソコン、又はデスクトップパソコンであってもよい。
【０１００】
上記第１〜第３実施形態では、処理装置６１，１６１，２６１と、サーバ制御装置６２，１６２，２６２とは、同一のクラウドサーバ６０，１６０，２６０に設けられていたが、別個のクラウドサーバにそれぞれ設けられてもよい。この場合、処理装置として、第三者が提供する音声認識サービスを利用してもよい。
【０１０１】
また、上記第１〜第３実施形態では、処理装置６１，１６１，２６１は、クラウドサーバ６０，１６０，２６０に設けられていたが、スマートスピーカ３０が処理装置６１，１６１，２６１の機能を備えていてもよい。さらに、スマートフォン４０が音声入力できる場合、スマートフォン４０が処理装置６１，１６１，２６１の機能を備えていてもよい。
【０１０２】
スマートフォン４０は、赤外線通信機能や音声入力機能を有していてもよい。
【０１０３】
上記第１〜第３実施形態では、無線ＬＡＮルータ５０が、アクセスポイント機能と、ルータ機能とを備えていたが、アクセスポイントとルータとを別個に備えてもよい。
【０１０４】
上記第１〜第３実施形態では、空気調和機１０と、スマートスピーカ３０と、スマートフォン４０とは、無線ＬＡＮルータ５０と、無線接続していたが、これに限定されず、ＬＡＮケーブルを用いて有線接続されてもよい。言い換えれば、本開示に係る空調システム１，１００，２００の通信回線は、有線通信回線を含んでいてもよい。
【０１０５】
上記第１〜第３実施形態では、通信回線は、インターネット回線ＩＮを含んでいたが、これに限定されず、宅内ネットワーク又は社内ネットワークを形成するイントラネットであってもよい。
【符号の説明】
【０１０６】
１…空調システム
２…ユーザ
１０，１０Ａ，１０Ｂ，１０Ｃ…空気調和機
１１，１１Ａ，１１Ｂ，１１Ｃ…室内機
１２…室内機制御装置
１２ａ…室内機通信部
１２ｂ…室内機記憶部
２０…リモートコントローラ
３０…スマートスピーカ
４０…スマートフォン
５０…無線ＬＡＮルータ
６０…クラウドサーバ
６１…処理装置
６２…サーバ制御装置
６２ａ…サーバ通信部
１００…空調システム
１６０…クラウドサーバ
１６１…処理装置
１６２…サーバ制御装置
１６２ａ…サーバ通信部
１６２ｂ…サーバ記憶部
２００…空調システム
２６０…クラウドサーバ
２６１…処理装置
２６２…サーバ制御装置
２６２ａ…サーバ通信部
２６２ｂ…サーバ記憶部
【図１】
2020153635.tif 000003
【図２】
2020153635.tif 000004
【図３】
2020153635.tif 000005
【図４】
2020153635.tif 000006
【図５】
2020153635.tif 000007
【図６】
2020153635.tif 000008
【図７】
2020153635.tif 000009
【図８】
2020153635.tif 000010